(57)【特許請求の範囲】
【請求項１】
非接触通信を行うためのアンテナと、２枚のシート間に挟み込まれ、供給された電力に応じて情報を表示する表示部と、前記アンテナを介して受信した情報に応じた表示を行うための電力を前記表示部に供給する制御部とを有し、前記表示部にて表示された情報が前記２枚のシートのうち一方のシートに設けられた表示領域を介して視認される情報表示媒体において、
前記一方のシートの前記表示領域に重ならない領域に、熱エネルギーによって情報の書き換えが可能な感熱記録層が貼り替え可能に貼着され、
前記表示部は、前記感熱記録層における情報の書き換え回数に応じた情報を表示することを特徴とする情報表示媒体。
【発明の詳細な説明】
【技術分野】
【０００１】
本発明は、情報を可変に表示する情報表示媒体に関する。
【背景技術】
【０００２】
近年、熱エネルギーによって情報の書き換えが可能に構成された情報表示媒体が利用されている。このような熱エネルギーによって情報の書き換えが可能な情報表示媒体においては、シート基材の一方の面に、熱エネルギーによって情報の書き換えが可能な感熱記録部が設けられ、この感熱記録部に対して熱エネルギーが与えられることにより、シート基材上に情報が表示されたり、シート基材上に表示されていた情報が消去されたりする。このように、感熱記録部を有する情報表示媒体においては、１枚で情報を可変表示することができるため、ポイントカード等の情報表示媒体として利用されることが増えている。
【０００３】
また、電力や磁気を利用してデジタル情報を紙のように薄い表示媒体に可変表示する薄型の情報表示媒体が普及しはじめている。このような薄型の情報表示媒体は、紙のように薄いために携帯がしやすいとともに、視野角が広く、また、供給する電力や磁気によって表示される情報を書き換えることができるとともに、その後、電力や磁気を供給しない状態においても表示内容を保持できることから、今後のさらなる普及が予想される。また、このような薄型の情報表示媒体において、非接触通信機能を有するものも考えられており、それにより、表示する情報を非接触通信によって情報表示媒体に与えることができる。
【０００４】
ここで、上述したような感熱記録表示部と、磁気によって情報を可変表示する磁気記録表示部とを有する情報記録媒体が特許文献１に開示されている。この特許文献１に開示された情報記録媒体は、感熱記録表示部と磁気記録表示部との、情報の記録方法が互いに異なる２つの表示部を有することにより、２通りの情報記録媒体の使われ方に対応することができる。
【先行技術文献】
【特許文献】
【０００５】
【特許文献１】特開２００２−４２０７３号公報
【発明の概要】
【発明が解決しようとする課題】
【０００６】
上述したように、供給された電力によって情報を可変表示する情報記録媒体は、一般的に、書き換え可能な回数が１万回以上であるため、情報の書き換えが頻繁に行われる環境で用いられても問題はなく、様々な用途に用いることができる。一方、熱エネルギーによって情報の書き換えが可能な感熱記録部においては、一般的に、書き換え可能な回数が５００〜２０００回程度と言われており、それを超えると、情報の表示や消去がきれいに行われなくなってしまう。
【０００７】
そのため、熱エネルギーによって情報を可変表示しながらも、供給された電力によって情報を可変表示する情報記録媒体においては、情報の書き換えを積み重ねていくうちに、供給された電力による情報の書き換えがまだ可能であるにも関わらず、熱エネルギーによる情報の書き換えが不可能となってしまうこととなり、情報記録媒体全体としての寿命が短くなってしまうという問題点がある。
【０００８】
本発明は、上述したような従来の技術が有する問題点に鑑みてなされたものであって、供給された電力によって情報を表示する表示部を有する情報表示媒体において、熱エネルギーによって情報の書き換えを可能としながらも、表示部の寿命まで使用することができる情報表示媒体を提供することを目的とする。
【課題を解決するための手段】
【０００９】
上記目的を達成するために本発明は、
非接触通信を行うためのアンテナと、２枚のシート間に挟み込まれ、供給された電力に応じて情報を表示する表示部と、前記アンテナを介して受信した情報に応じた表示を行うための電力を前記表示部に供給する制御部とを有し、前記表示部にて表示された情報が前記２枚のシートのうち一方のシートに設けられた表示領域を介して視認される情報表示媒体において、
前記一方のシートの前記表示領域に重ならない領域に、熱エネルギーによって情報の書き換えが可能な感熱記録層が貼り替え可能に貼着され、
前記表示部は、前記感熱記録層における情報の書き換え回数に応じた情報を表示することを特徴とする。
【００１０】
上記のように構成された本発明においては、非接触通信を行うアンテナを介して受信した情報に応じた表示を行うための電力が表示部に供給されることにより表示部にて情報が可変表示され、その情報が表示領域を介して視認されるとともに、表示部を挟み込む２枚のシートのうち一方のシートの表示領域に重ならない領域に貼着された感熱記録層において熱エネルギーによって情報が可変表示される。ここで、この感熱記録層は、表示部を挟み込む２枚のシートのうち一方のシートに貼り替え可能に貼着されている。そのため、感熱記録層の寿命が表示部の寿命よりも短い場合であっても、感熱記録層の寿命がきた場合に感熱記録層を貼り替えれば、表示部の寿命まで、表示部及び感熱記録層を用いて情報表示媒体を使用することができる。
【００１１】
また、表示部が、感熱記録層における情報の書き換え回数に応じた情報を表示するような構成とすることで、表示部にて表示された情報が表示領域を介して視認されることにより、感熱記録層を貼り替える時期が認識されることになる。
【発明の効果】
【００１２】
以上説明したように本発明においては、熱エネルギーによって情報の書き換えが可能な感熱記録層が、供給された電力によって情報を表示する表示部を挟み込む２枚のシートのうち一方のシートの、表示された情報が視認される表示領域に重ならない領域に貼り替え可能に貼着されている構成としたため、供給される電力によって情報を表示する表示部を有する情報表示媒体において、熱エネルギーによって情報の書き換えを可能としながらも、表示部の寿命まで使用することができる。
【００１３】
また、表示部が、感熱記録層における情報の書き換え回数に応じた情報を表示することで、表示部にて表示された情報が表示領域を介して視認されることによって感熱記録層を貼り替える時期を認識することができる。
【図面の簡単な説明】
【００１４】
【図１】本発明の情報表示媒体の第１の実施の形態を示す図であり、（ａ）は表面図、（ｂ）は（ａ）に示したＡ−Ａ’断面図、（ｃ）は内部構造を示す図、（ｄ）は（ａ）に示した表示領域における表示電極の構成を示す図である。
【図２】図１に示した情報表示シートの機能ブロック図である。
【図３】図１に示した情報表示シートの使用状態を示す図である。
【図４】図１に示した情報表示シートにおいてリライト層を貼り替える際の状態を示す図である。
【図５】本発明の情報表示媒体の第２の実施の形態を示す図であり、（ａ）は表面図、（ｂ）は（ａ）に示したＡ−Ａ’断面図である。
【図６】図５に示した情報表示カードの使用状態を示す図である。
【図７】図５に示した情報表示カードにおいてリライト層を貼り替える際の状態を示す図である。
【図８】本発明の情報表示媒体の第３の実施の形態を示す図であり、（ａ）は表面図、（ｂ）は（ａ）に示したＡ−Ａ’断面図である。
【図９】図８に示した情報表示カードの使用状態を示す図である。
【図１０】図８に示した情報表示カードにおいてリライト層を貼り替える際の状態を示す図である。
【図１１】本発明の情報表示媒体の第４の実施の形態を示す図であり、（ａ）は表面図、（ｂ）は（ａ）に示したＡ−Ａ’断面図である。
【図１２】図１１に示した情報表示カードを発行するプリンタの機能ブロック図である。
【図１３】図１１に示した情報表示カードを図１２に示したプリンタにて発行する際の処理を説明するためのフローチャートである。
【図１４】図１１に示した情報表示カードの使用状態を示す図である。
【発明を実施するための形態】
【００１５】
以下に、本発明の実施の形態について図面を参照して説明する。
【００１６】
（第１の実施の形態）
図１は、本発明の情報表示媒体の第１の実施の形態を示す図であり、（ａ）は表面図、（ｂ）は（ａ）に示したＡ−Ａ’断面図、（ｃ）は内部構造を示す図、（ｄ）は（ａ）に示した表示領域２ａにおける表示電極３１の構成を示す図である。
【００１７】
本形態は図１に示すように、一方の面に表示電極３１及びアンテナ１２が形成されたベースシート１０と、透明な材料からなるカバーシート２０との間に、表示電極３１を含む表示部３０が挟み込まれ、さらに、カバーシート２０上に感熱記録層であるリライト層４０が剥離可能に貼着されて構成された情報表示シート１である。そして、表示部３０が設けられた領域の一部が表示領域２ａ，２ｂとなっている。
【００１８】
ベースシート１０には、その一部に、例えば、銀ペーストやカーボンペースト等の導電ペーストや導電インキを用いたスクリーン印刷や、エッチング等によって表示電極３１が形成されるとともに、表示電極３１とは異なる領域に、同様の材料及び手法によってアンテナ１２が形成されている。例えば、表示電極３１には銀ペーストを使用し、アンテナ１２はエッチングにより形成することができる。表示電極３１は、表示領域２ａにおいては、表示される情報に応じたパターンでセグメント形状に形成されており、５桁の数字を表示するものであって、表示電極３１に対して選択的に電圧が印加され、表示領域２ａにおいて“０００００”〜“９９９９９”の数字が表示されることになる。また、表示領域２ｂの表示電極３１は、表示領域２ｂの全面を覆うような形状となっている。アンテナ１２は、ベースシート１０上にコイル状に形成され、外部に設けられたリーダ／ライタからの電磁誘導によって非接触通信を行うためのものである。アンテナ１２には、アンテナ１２を介した非接触通信を司るＣＰＵ１３が接続されており、このＣＰＵ１３と表示電極３１は、それぞれドライバＩＣ１１に接続されている。
【００１９】
表示部３０は、ベースシート１０の表示電極３１が形成された領域上に積層され、この表示電極３１と情報表示層３２と透明導電膜基板３３とから構成されている。透明導電膜基板３３は、ガラスや透明フィルム等からなる透明基板（不図示）の情報表示層３２に対向する面に透明電極（例えば、ＩＴＯ）（不図示）が形成されて構成されており、透明電極に外部から所定の電圧が印加される。情報表示層３２は、供給された電力、具体的には表示電極３１と透明導電膜基板３３の透明電極との間の電位差に応じて情報を表示するものであって、透明導電膜基板３３の透明電極に所定の電圧を印加した状態で、表示領域２ａ，２ｂにて表示する情報に応じて表示電極３１に２種類の電圧を選択的に印加することにより、透明導電膜基板３３の透明電極と表示電極３１との間の電位差によって情報表示層３２の状態が変化し、この状態の変化がカバーシート２０側から視認された場合に表示領域２ａ，２ｂにおいて２色で情報が表示されることになる。この情報表示層３２としては、例えば、電気泳動タイプや電子粉粒タイプ、エレクトロクロミック等が挙げられるが、マイクロカプセル方式の電気泳動タイプが最も好ましい。また、透明導電膜基板３３の透明基板の透明電極とは反対側の面には、表示領域２ａにおいて表示電極３１に対向しない領域に、表示部３０に含まれるマスク層２２が積層されており、また、表示領域２ｂにおいては表示領域２ｂにて表示する情報に応じた形状にマスク層２２が積層されている。なお、表示領域２ｂに積層されたマスク層２２は、本形態においては、表示領域２ｂにて“ＯＫ”という文字を表示するため、“ＯＫ”という文字を抜いた形状に積層されている。また、このマスク層２２は、表示電極３１に対向する領域にて表示される２色のうちいずれかの色を有している。具体的には、表示部３０の状態による色が表示領域２ａ，２ｂにて黒色とグレーとの２色によって視認される場合、マスク層２２は、黒色とグレーのいずれかの色を有していることになる。
【００２０】
カバーシート２０は、ＰＥＴ等の透明な材料からなり、ベースシート１０と対向しない面のうち表示領域２ａ，２ｂを除いた部分の全面に白色等のインクによって印刷層４１が積層されている。
【００２１】
リライト層４０は、例えば、リライト作用を持つ顕色剤とロイコ系染料とを含有し、１５０〜１８０℃の熱エネルギーがサーマルヘッド等によって与えられることにより顕色し、１３０〜１５０℃の熱エネルギーが与えられることにより退色するものを用いることができる。そして、貼着後の剥離を可能とする粘着剤４１によって、カバーシート２０のアンテナ１２と対向する領域に剥離可能に貼着されている。これにより、リライト層４０は、カバーシート２０の表示領域２ａ，２ｂに重ならない領域に剥離可能に貼着されていることになる。
【００２２】
以下に、上記のように構成された情報表示シート１の機能について説明する。
【００２３】
図２は、図１に示した情報表示シート１の機能ブロック図である。
【００２４】
図１に示した情報表示シート１は、図２に示すように、ベースシート１０上に形成されたアンテナ１２と、ベースシート１０上に搭載されたＣＰＵ１３及びドライバＩＣ１１と、ベースシート１０とカバーシート２０との間に挟み込まれた表示部３０とによって機能する。
【００２５】
アンテナ１２に接続されたＣＰＵ１３は、メモリ１５を有し、アンテナ１２を介して受信した情報をメモリ１５に記憶する。
【００２６】
ＣＰＵ１３には、制御部となるドライバＩＣ１１が接続されている。ドライバＩＣ１１は、内蔵されたプログラムやアンテナ１２を介して受信した情報に基づいて表示部３０の表示を制御するものであり、アンテナ１２を介して生じた起電力によって駆動する。また、ドライバＩＣ１１には、昇圧回路（不図示）が内蔵されており、アンテナ１２を介して生じた起電力を昇圧回路にて昇圧して表示部３０に供給する。
【００２７】
以下に、上記のように構成された情報表示シート１の使用方法について説明する。
【００２８】
図３は、図１に示した情報表示シート１の使用状態を示す図である。
【００２９】
図１に示した情報表示シート１は、例えば、物品の検査工程における管理シートとして使用することができる。
【００３０】
図１に示した情報表示シート１を物品の検査工程における管理シートとして使用する場合は、サーマルヘッドを有するプリンタにおいて、この情報表示シート１が貼付される物品等に関する情報がリライト層４０に印字される。リライト層４０においては、サーマルヘッドから与えられた熱エネルギーに応じて、図３（ａ）に示すように、製造開始情報やロット番号等の情報が印字される。
【００３１】
そして、このようにリライト層４０に情報が印字された情報表示シート１が物品等に貼付された後、検査工程において検品が行われると、アンテナ１２を介して情報表示シート１に対して非接触通信が可能なリーダ／ライタにおいて、その商品コードと検品結果を示す情報が送信される。すると、リーダ／ライタから送信された情報がアンテナ１２を介して受信され、ドライバＩＣ１１において、その情報に応じて表示電極３１に印加される電圧が制御され、図３（ａ）に示すように、表示領域２ａ，２ｂにそれぞれ情報が表示される。なお、表示領域２ａにおいては、図１（ｄ）に示したようなセグメント形状の表示電極のそれぞれについて、リーダ／ライタから送信されてきた情報に応じて電圧が印加されることによって情報表示層３２にてそれに応じた情報が表示され、また、表示電極３１に対向していない領域においては、表示電極３１に対向する領域にて表示される２色のうちいずれかの色を有するマスク層２２が設けられていることにより、５桁の数字が表示されることになる。また、表示領域２ｂにおいては、リーダ／ライタから送信されてきた情報に応じて所定の電圧が表示電極３１に印加され、その電圧によって表示電極３１に対向する領域にて表示される色が、マスク層２２とは異なる場合に、“ＯＫ”という文字が表示されることになる。このように、表示部３０においては、ドライバＩＣ１１から供給された電力に応じて情報を表示することになる。
【００３２】
その後、リライト層４０に印字された条件と同じ条件を有する他の物品等にこの情報表示シート１が貼付され、上記同様に、検査工程において検品が行われると、アンテナ１２を介して情報表示シート１に対して非接触通信が可能なリーダ／ライタにおいて、その商品コードと検品結果を示す情報が送信され、図３（ｂ）に示すように、表示領域２ａ，２ｂに表示された情報が、その物品等に関する情報に変わることになる。
【００３３】
また、リライト層４０に印字された条件とは異なる条件を有する他の物品等にこの情報表示シート１が貼付される場合は、再度、サーマルヘッドを有するプリンタにおいて、この情報表示シート１が貼付される物品等に関する情報がリライト層４０に印字される。リライト層４０においては、サーマルヘッドから与えられた熱エネルギーに応じて、図３（ｃ）に示すように、製造開始情報やロット番号等の情報が書き換えられる。
【００３４】
ここで、リライト層４０においては、上述したように書き換え可能な回数が５００〜２０００回程度と言われている。そのため、リライト層４０の書き換えを積み重ねていくと、表示部３０における表示がまだ可能であるにも関わらず、情報表示シート１が使用できなくなってしまうことになる。そこで、本形態においては、リライト層４０がカバーシート２０に剥離可能に貼着される構成とすることにより、リライト層４０のみを貼り替えることができるようになっている。
【００３５】
図４は、図１に示した情報表示シート１においてリライト層４０を貼り替える際の状態を示す図である。
【００３６】
図１に示した情報表示シート１においてリライト層４０に対する情報の書き換え回数が、リライト層４０の書き換え可能な回数を超えた場合、図４（ａ）に示すように、リライト層４０をカバーシート２０から剥離する。リライト層４０は、粘着剤４１によってカバーシート２０に剥離可能に貼着されているため、カバーシート２０から剥離することができる。
【００３７】
そして、図４（ｂ）に示すように、新たなリライト層４０ｂをカバーシート２０のリライト層４０が貼着されていた領域に貼着することにより、図１に示したものと同一の状態となり、上記同様の情報の表示が可能となる。
【００３８】
このように本形態においては、熱エネルギーによって情報の書き換えが可能なリライト層４０が、カバーシート２０の表示領域２ａ，２ｂに重ならない領域に剥離可能に貼着される構成であるため、リライト層４０に対する情報の書き換え回数がリライト層４０の書き換え可能な回数を超えた場合にリライト層４０を貼り替えることにより、熱エネルギーによって情報の書き換えを可能としながらも、表示部３０の寿命まで使用することができる。
【００３９】
（第２の実施の形態）
図５は、本発明の情報表示媒体の第２の実施の形態を示す図であり、（ａ）は表面図、（ｂ）は（ａ）に示したＡ−Ａ’断面図である。
【００４０】
本形態は図５に示すように、第１の実施の形態にて示した情報表示シート１に対して、カバーシート１２０の表示領域１０２を除く全面にリライト層１４０が積層された情報表示カード１０１である点が異なるものである。
【００４１】
以下に、上記のように構成された情報表示カード１０１の使用方法について説明する。
【００４２】
図６は、図５に示した情報表示カード１０１の使用状態を示す図である。
【００４３】
図５に示した情報表示カード１０１は、例えば、駐車券として使用することができる。
【００４４】
図５に示した情報表示カード１０１を駐車券として使用する場合は、入庫の際に、リライト層１４０に入庫時刻を印字するとともに、リライト層１４０に広告情報を印字して情報表示カード１０１を発券する。
【００４５】
その後、利用者が買い物をし、レジ端末に接続されたリーダ／ライタに情報表示カード１０１を翳すと、購入金額を示す情報がリーダ／ライタから送信され、アンテナ１１２を介して受信される。そして、ドライバＩＣ１１１内のメモリに記憶された今までの購入金額に加算され、その合計金額がメモリに上書きされるとともに、ドライバＩＣ１１１の制御によって表示電極１３１に選択的に電圧が印加され、合計金額が表示領域１０２に表示される。
【００４６】
これにより、図６（ａ）に示すように、リライト層１４０には駐車場への入庫時刻が印字され、表示領域１０２には、今までの購入金額が表示されることになり、駐車料金が一定の時間を限度として切り替わる駐車場において、利用者は、今までの買い物で駐車料金がいくらになるかを知ることができる。
【００４７】
そして、表示領域１０２に表示される金額は、利用者が買い物をしてリーダ／ライタに翳すたびにその購入金額に応じて変わることとなる。
【００４８】
その後、この情報表示カード１０１を用いて駐車料金の精算が終わると、情報表示カード１０１は回収される。
【００４９】
そして、図６（ｂ）に示すように、情報表示カード１０１が再度発券される際に、リライト層１４０に印字される入庫時刻が書き換えられることになる。また、リライト層１４０に印字された広告情報も書き換えることができる。
【００５０】
このように使用される情報表示カード１０１においても、リライト層１４０がカバーシート１２０に剥離可能に貼着される構成とすることにより、リライト層１４０のみを貼り替えることができる。
【００５１】
図７は、図５に示した情報表示カード１０１においてリライト層１４０を貼り替える際の状態を示す図である。
【００５２】
図５に示した情報表示カード１０１においてリライト層１４０に対する情報の書き換え回数が、リライト層１４０の書き換え可能な回数を超えた場合、図７（ａ）に示すように、リライト層１４０をカバーシート１２０から剥離する。リライト層１４０は、粘着剤１４１によってカバーシート１２０に剥離可能に貼着されているため、カバーシート１２０から剥離することができる。
【００５３】
そして、図７（ｂ）に示すように、新たなリライト層１４０ｂをカバーシート１２０のリライト層１４０が貼着されていた面に貼着することにより、図５に示したものと同一の状態となり、上記同様の情報の表示が可能となる。
【００５４】
（第３の実施の形態）
図８は、本発明の情報表示媒体の第３の実施の形態を示す図であり、（ａ）は表面図、（ｂ）は（ａ）に示したＡ−Ａ’断面図である。
【００５５】
本形態は図８に示すように、第２の実施の形態にて示した情報表示カード１０１に対して、アンテナ２１２と表示部２３０とが重なるように配置されている点が異なるものである。
【００５６】
以下に、上記のように構成された情報表示カード２０１の使用方法について説明する。
【００５７】
図９は、図８に示した情報表示カード２０１の使用状態を示す図である。
【００５８】
図８に示した情報表示カード２０１は、例えば、サービス利用者の管理カードとして使用することができる。
【００５９】
図８に示した情報表示カード２０１を管理カードとして使用する場合は、この情報表示カード２０１を利用するサービスに応じた情報をリライト層２４０に印字する。本形態においては、図９（ａ）に示すように、表示領域２０２に表示される情報が管理番号である旨の日本語表示と、サービスを特定するためのバーコード情報が印字されている。
【００６０】
その後、この情報表示カード２０１がサービスの利用者に渡される際、その利用者を特定可能な管理番号を示す情報がリーダ／ライタから送信され、アンテナ２１２を介して受信される。そして、ＣＰＵ２１１の制御によって表示電極２３１に選択的に電圧が印加され、図９（ａ）に示すように管理番号が表示領域２０２に表示される。
【００６１】
また、この情報表示カード２０１が異なるサービスに利用される場合は、リライト層２４０に印字された情報が書き換えられる。本形態においては、図９（ｂ）に示すように、表示領域２０２に表示される情報が管理番号である旨の英語表示と、サービスを特定するための二次元コードが印字されるようにリライト層２４０に印字された情報が書き換えられる。
【００６２】
その後、この情報表示カード２０１がサービスの利用者に渡される際、その利用者を特定可能な管理番号を示す情報がリーダ／ライタから送信され、アンテナ２１２を介して受信される。そして、ＣＰＵ２１１の制御によって表示電極２３１に選択的に電圧が印加され、図９（ｂ）に示すように表示領域２０２に表示されていた管理番号が変わる。
【００６３】
このように使用される情報表示カード２０１においても、リライト層２４０がカバーシート２２０に剥離可能に貼着される構成とすることにより、リライト層２４０のみを貼り替えることができる。
【００６４】
図１０は、図８に示した情報表示カード２０１においてリライト層２４０を貼り替える際の状態を示す図である。
【００６５】
図８に示した情報表示カード２０１においてリライト層２４０に対する情報の書き換え回数が、リライト層２４０の書き換え可能な回数を超えた場合、図１０（ａ）に示すように、リライト層２４０をカバーシート２２０から剥離する。リライト層２４０は、粘着剤２４１によってカバーシート２２０に剥離可能に貼着されているため、カバーシート２２０から剥離することができる。
【００６６】
そして、図１０（ｂ）に示すように、新たなリライト層２４０ｂをカバーシート２２０のリライト層２４０が貼着されていた面に貼着することにより、図８に示したものと同一の状態となり、上記同様の情報の表示が可能となる。
【００６７】
（第４の実施の形態）
図１１は、本発明の情報表示媒体の第４の実施の形態を示す図であり、（ａ）は表面図、（ｂ）は（ａ）に示したＡ−Ａ’断面図である。
【００６８】
本形態は図１１に示すように、２つの表示領域３０２ａ，３０２ｂが設けられた情報表示カード３０１であり、その他の構成は、第１の実施の形態に示したものと同様である。表示領域３０２ａにおいては、第１の実施の形態に示したものと同様に、表示電極３３１に選択的に電圧が印加されることによって数字が表示され、また、表示領域３０２ｂにおいては、透明導電膜基板３３３に積層されたマスク層３２２の形状によって、表示電極３３１に所定の電圧が印加された場合に情報が表示されることになる。
【００６９】
以下に、上記のように構成された情報表示カード３０１の使用方法について説明する。
【００７０】
図１２は、図１１に示した情報表示カード３０１を発行するプリンタの機能ブロック図である。
【００７１】
図１１に示した情報表示カード３０１を発行するプリンタとしては、例えば、図１２に示すように、リライト層３４０に対する情報の書き換えを行うサーマルヘッド３０４と、情報表示カード３０１に対して非接触通信によって情報を送受信するリーダ／ライタ３０５と、サーマルヘッド３０４によってリライト層３４０の書き換えが行われた旨を示す信号を、リーダ／ライタ３０５を介して送信するＣＰＵ３０６とを有するものが用いられる。
【００７２】
図１３は、図１１に示した情報表示カード３０１を図１２に示したプリンタ３０３にて発行する際の処理を説明するためのフローチャートである。また、図１４は、図１１に示した情報表示カード３０１の使用状態を示す図である。
【００７３】
図１１に示した情報表示カード３０１を図１２に示したプリンタ３０３にて発行する場合は、サーマルヘッド３０４においてリライト層３４０の書き換えが行われるとともに、リーダ／ライタ３０５において、表示領域３０２ａ，３０２ｂにて情報を表示するための信号が送信される。またその際、リーダ／ライタ３０５においては、ＣＰＵ３０６の制御によってサーマルヘッド３０４によるリライト層３４０の書き換えが行われた旨を示す信号が送信される。
【００７４】
リーダ／ライタ３０５から送信されてきた信号は、情報表示カード３０１のアンテナ３１２を介して受信され、図１４（ａ）に示すように、情報表示カード３０１においては、受信された信号に応じた情報が表示領域３０２ａに表示される。またその際、リライト層３４０の書き換え回数が情報表示カード３０１のＣＰＵ３１１内のメモリ（不図示）に記憶される（ステップ１）。
【００７５】
そして、情報表示カード３０１のメモリに記憶された書き換え回数が、リライト層３４０の寿命となる貼り替え回数となった場合（ステップ２）、情報表示カード３０１のＣＰＵ３１１の制御によって、表示領域３０２ｂに対向する領域に配置された表示電極３３１に対して、情報表示層３３２にて表示される色が、カバーシート３２０側から視認された場合にマスク層３２２とは異なる色となるような電圧が印加される。それにより、情報表示層３３２にて表示される色が、マスク層３２２の形状によって情報が表示されるような色となり、図１４に示すように、リライト層３４０の貼り替えを示す情報が表示領域３０２ｂに表示される（ステップ３）。そして、上述したものと同様に、リライト層３４０が貼り替えられることになる。
【００７６】
また、情報表示カード３０１のメモリに記憶された書き換え回数が、リライト層３４０の寿命となる貼り替え回数ではない場合は、表示領域３０２ｂに対向する領域に配置された表示電極３３１に対して、情報表示層３３２にて表示される色が、カバーシート３２０側から視認された場合にマスク層３２２と同じ色となるような電圧が印加される。それにより、情報表示層３３２にて表示される色が、マスク層３２２と区別がつかないような色となり、表示領域３０２ｂにおける情報の表示は行われない（ステップ４）。
【００７７】
なお、本形態においては、表示領域３０２ｂにおいて、透明導電膜基板３３３に積層されたマスク層３２２の形状によって、リライト層３４０の貼り替えを示す情報が表示される構成としたが、表示領域３０２ｂに対向する表示電極３３１を、リライト層３４０の貼り替えを示す形状としてもよい。また、リライト層３４０の貼り替え回数そのものや、使用可能な残り回数を表示領域３０２ｂに表示してもよい。
【００７８】
また、リライト層３４０に対する情報の書き換え回数を、情報表示カード３０１のＩＤとともにサーバ（不図示）にて管理しておき、リライト層３４０に対する情報の書き換え回数が書き換え可能な回数を超えた場合に、その旨をサーバからプリンタを介して情報表示カード３０１に送信し、上記同様の表示を行う構成とすることも考えられる。
【符号の説明】
【００７９】
１    情報表示シート
２ａ，２ｂ，１０２，２０２，３０２ａ，３０２ｂ    表示領域
１０，１１０，２１０ａ，２１０ｂ，３１０    ベースシート
１１，１１１，２１１，３０６，３１１    ドライバＩＣ
１２，１１２，２１２，３１２    アンテナ
１３，１１３，２１３，３１３    ＣＰＵ
１５    メモリ
２０，１２０，２２０，３２０    カバーシート
２１    印刷層
２２，１２２，２２２，３２２    マスク層
３０，１３０，２３０，３３０    表示部
３１，１３１，２３１，３３０    表示電極
３２，１３２，２３２，３３２    情報表示層
３３，１３３，２３３，３３３    透明導電膜基板
４０，４０ｂ，１４０，１４０ｂ，２４０，２４０ｂ，３４０    リライト層
４１，１４１，２４１    粘着剤
１０１，２０１，３０１    情報表示カード
３０３    プリンタ
３０４    サーマルヘッド
３０５    リーダライタ
【図１】
0005600308.tif 000002
【図２】
0005600308.tif 000003
【図３】
0005600308.tif 000004
【図４】
0005600308.tif 000005
【図５】
0005600308.tif 000006
【図６】
0005600308.tif 000007
【図７】
0005600308.tif 000008
【図８】
0005600308.tif 000009
【図９】
0005600308.tif 000010
【図１０】
0005600308.tif 000011
【図１１】
0005600308.tif 000012
【図１２】
0005600308.tif 000013
【図１３】
0005600308.tif 000014
【図１４】
0005600308.tif 000015